(57)【特許請求の範囲】
【請求項１】
電線をピン碍子に固定するための碍子バインドであって、
ピン碍子の頸部に係止する円弧状の碍子係止部と、
前記碍子係止部の両端からそれぞれ延設された２つの連絡部と、
２つの前記連絡部の先端にそれぞれ設けられ、電線に係止する２つの電線グリップ部と、
間接活線工具を係止させる間接活線工具係止部と、を有し、
前記電線グリップ部は、それぞれ、電線に嵌め込まれる２つの円弧状部と電線を支持する支持部とを有し、
前記支持部は、前記２つの円弧状部が電線に嵌め込まれると電線に接するように設けられ、
少なくとも前記電線グリップ部は、弾性を有することを特徴とする碍子バインド。
【請求項２】
前記碍子係止部の中央部の曲率半径Ｒ２が、前記ピン碍子の頸部の半径ｒ２以上、前記ピン碍子の頭部の半径ｒ３以下であることを特徴とする請求項１に記載の碍子バインド。
【請求項３】
２つの前記連絡部は、互いの間隔が前記ピン碍子の頭部の直径ｄ３よりも大きく、
前記碍子係止部をピン碍子の頸部に係止させた状態で、側面視において前記電線グリップ部をピン碍子の頭部以上の高さに持ち上げることが可能なことを特徴とする請求項１又は請求項２に記載の碍子バインド。
【請求項４】
前記碍子係止部と前記電線グリップ部との間隔Ｌが、前記ピン碍子の頸部の直径ｄ２に電線の半径ｒｗを加算した値と同一か僅かに大きいことを特徴とする請求項１から請求項３のいずれか１項に記載の碍子バインド。
【請求項５】
前記間接活線工具係止部は、前記電線グリップ部を電線に嵌め込む際に使用する第１リング部及び電線に嵌め込まれた前記電線グリップ部を取外す際に使用する第２リング部を備え、
前記第１リング部は、側面視において電線グリップ部に対して反碍子係止部側で電線グリップ部よりも低い位置に設けられ、
前記第２リング部は、側面視において電線グリップ部に対して碍子係止部側で電線グリップ部よりも高い位置に設けられていることを特徴とする請求項１から請求項４のいずれか１項に記載の碍子バインド。
【請求項６】
前記電線グリップ部の支持部は、平面視において中央部が前記電線グリップ部の中心線Ｍ側に湾曲していることを特徴とする請求項１から請求項５のいずれか１項に記載の碍子バインド。
【請求項７】
前記碍子係止部、連絡部、電線グリップ部及び間接活線工具係止部は、弾性を有する線状体で一体的に形成されていることを特徴とする請求項１から請求項６のいずれか１項に記載の碍子バインド。
【発明の詳細な説明】
【技術分野】
【０００１】
本発明は、電線を碍子に固定する際に使用する碍子バインドに関する。
【背景技術】
【０００２】
従来、被覆電線をピン碍子に固定するには絶縁電線用巻付バインド、抱腕金用巻付バインドが使用されている。また縁線部分に接続箇所がある場合には、巻付バインドと接続箇所のカバーとの間隔を５ｃｍ以上確保する必要があることから、絶縁電線用巻付バインド、抱腕金用巻付バインドを使用することができず、代わりにビニル被覆アルミバインド（以下、アルミバインドと記す）が使用される。
【０００３】
近年、巻付バインドを用いた被覆電線のピン碍子への固定は、間接活線工具を使用して行う間接活線工法が一般的である。間接活線工法は、高圧ゴム手袋などの保護具を着用して行う直接活線工法に比較して安全であるが作業性は低下する。特にアルミバインドは、間接活線工具を用いての取付けが極めて困難である。このため従来の巻付バインドを改良した、間接活線工具を用いても簡単、確実に固定することができる巻付バインドが多く提案されている。
【０００４】
特許文献１には、ピン碍子の頸部に一周以上巻付くループ部と、ループ部の始端、終端からループ部の接線方向に延設し、電線に巻付く螺旋状の延設部を備える巻付バインドが開示されている。螺旋状部を電線に巻付け固定する電線固定部を備える巻付バインドは、特許文献１に記載の巻付バインド以外にも多く提案されている（例えば特許文献２参照）。
【０００５】
また螺旋状の電線固定部を有さない碍子バインドもある（例えば特許文献３、４参照）。特許文献３に記載の碍子バインドは、ピン碍子の頸部を挟持する挟持部の先端に設けられたＵ字状の係止部を電線に引掛け固定する。特許文献４に記載の碍子バインドは、一対の環状の針金部材の両端を回動自在に連結し、針金部材にそれぞれ係合部材を設け、ピン碍子に挿入した一方の針金部材の上に電線を載せ、他方の針金部材とで電線を挟み固定する。
【先行技術文献】
【特許文献】
【０００６】
【特許文献１】特開２０１２−２８０５３号公報
【特許文献２】特許第４７９９１５３号公報
【特許文献３】特開２００９−１１８５６１号公報
【特許文献４】特許第５５４７３０６号公報
【発明の概要】
【発明が解決しようとする課題】
【０００７】
特許文献３及び４に記載の碍子バインドは、螺旋状部を電線に巻付け固定する方法ではないため、特許文献１、２に記載の巻付バインドに比較してバインド力は劣るが、間接活線工具を用いて電線をピン碍子に簡単に固定することができる。
【０００８】
絶縁電線用巻付バインド及び抱腕金用巻付バインドは、電線に張力がかかることを前提に使用するため、掌握力試験等の試験に耐え得る構造でなければならないが、引留クランプ間を結ぶ縁線などのような張力のかからない縁線の固定に使用するバインドは、掌握力試験等の試験に耐え得る構造でなくてもよい。
【０００９】
本発明の目的は、間接活線工具を用いて電線をピン碍子に簡単に着脱することができる碍子バインドを提供することである。
【課題を解決するための手段】
【００１０】
本発明は、電線をピン碍子に固定するための碍子バインドであって、ピン碍子の頸部に係止する円弧状の碍子係止部と、前記碍子係止部の両端からそれぞれ延設された２つの連絡部と、２つの前記連絡部の先端にそれぞれ設けられ、電線に係止する２つの電線グリップ部と、間接活線工具を係止させる間接活線工具係止部と、を有し、前記電線グリップ部は、それぞれ、電線に嵌め込まれる２つの円弧状部と電線を支持する支持部とを有し、前記支持部は、前記２つの円弧状部が電線に嵌め込まれると電線に接するように設けられ、少なくとも前記電線グリップ部は、弾性を有することを特徴とする碍子バインドである。
【００１１】
本発明の碍子バインドは、螺旋状の電線固定部を電線に巻き付ける巻付バインドと異なり、電線グリップ部を電線に対して上方から嵌め込むことで電線に固定することができるので間接活線工具を用いて電線をピン碍子に簡単に固定し、簡単に取り外すことができる。また電線グリップ部は弾性を有するので、電線をしっかりと挟み込み、保持することができる。
【００１２】
本発明において、前記碍子係止部の中央部の曲率半径Ｒ２が、前記ピン碍子の頸部の半径ｒ２以上、前記ピン碍子の頭部の半径ｒ３以下であることを特徴とする。
【００１３】
本発明によれば、碍子係止部の中央部の曲率半径Ｒ２が、ピン碍子の頸部の半径ｒ２以上、ピン碍子の頭部の半径ｒ３以下であるので、碍子係止部をピン碍子の頸部に確実に、またしっかりと係止させることができる。
【００１４】
また本発明において、２つの前記連絡部は、互いの間隔が前記ピン碍子の頭部の直径ｄ３よりも大きく、前記碍子係止部をピン碍子の頸部に係止させた状態で、側面視において前記電線グリップ部をピン碍子の頭部以上の高さに持ち上げることが可能なことを特徴とする。
【００１５】
本発明によれば、碍子係止部をピン碍子の頸部に係止させた状態で電線グリップ部をピン碍子の頭部以上の高さに持ち上げることが可能なため、電線をピン碍子の頸部に沿わせた状態で碍子バインドを取付けることができる。このため間接活線工具を用いて、電線をピン碍子に簡単に固定することができる。
【００１６】
また本発明において、前記碍子係止部と前記電線グリップ部との間隔Ｌが、前記ピン碍子の頸部の直径ｄ２に電線の半径ｒｗを加算した値と同一か僅かに大きいことを特徴とする。
【００１７】
本発明によれば、碍子係止部と電線グリップ部との距離Ｌが、ピン碍子の頸部の直径ｄ２に電線の半径ｒｗを加算した値と略同一であるので、本碍子バインドを用いて電線を固定すると電線がピン碍子の頸部に接した状態となる。これにより電線をピン碍子にしっかりと固定させることができる。
【００１８】
また本発明において、前記間接活線工具係止部は、前記電線グリップ部を電線に嵌め込む際に使用する第１リング部及び電線に嵌め込まれた前記電線グリップ部を取外す際に使用する第２リング部を備え、前記第１リング部は、側面視において電線グリップ部に対して反碍子係止部側で電線グリップ部よりも低い位置に設けられ、前記第２リング部は、側面視において電線グリップ部に対して碍子係止部側で電線グリップ部よりも高い位置に設けられていることを特徴とする。
【００１９】
本発明によれば、電線グリップ部を電線に嵌め込む第１リング部は、電線グリップ部に対して反碍子係止部側で電線グリップ部よりも低い位置に設けられているので、間接活線工具により電線グリップ部を下方に引き下げ易く、電線グリップ部を電線に簡単に嵌め込むことができる。一方、電線グリップ部を電線から取外す第２リング部は、電線グリップ部に対して碍子係止部側で電線グリップ部よりも高い位置に設けられているので、間接活線工具により電線グリップ部を上方に引き上げ易く、電線グリップ部を電線から簡単に取外すことができる。
【００２０】
また本発明において、前記電線グリップ部の支持部は、平面視において中央部が前記電線グリップ部の中心線Ｍ側に湾曲していることを特徴とする。
【００２１】
本発明によれば、電線グリップ部の支持部は、平面視において中央部分が電線グリップ部の中心線Ｍ側になるように湾曲しているので、電線グリップ部を電線に無理なく嵌め込むことが可能であり、また確実に電線を支持することができる。
【００２２】
また本発明において、前記碍子係止部、連絡部、電線グリップ部及び間接活線工具係止部は、弾性を有する線状体で一体的に形成されていることを特徴とする。
【００２３】
本発明によれば、碍子バインドを弾性を有する線状体で一体的に形成することができるので、容易にまた安価に製造することができる。
【発明の効果】
【００２４】
本発明によれば、間接活線工具を用いて電線をピン碍子に簡単に着脱することができる碍子バインドを提供することができる。
【図面の簡単な説明】
【００２５】
【図１】本発明の第１実施形態の碍子バインド１の斜視図である。
【図２】本発明の第１実施形態の碍子バインド１の平面図である。
【図３】本発明の第１実施形態の碍子バインド１の側面図である。
【図４】本発明の第１実施形態の碍子バインド１を用い、電線２０１をピン碍子１０１の頸部１０７に固定する要領を説明するための図である。
【図５】本発明の第１実施形態の碍子バインド１を用い、電線２０１をピン碍子１０１の頸部１０７に固定する要領を説明するための図である。
【図６】本発明の第１実施形態の碍子バインド１を用い、電線２０１をピン碍子１０１の頸部１０７に固定する要領を説明するための図である。
【図７】本発明の第１実施形態の碍子バインド１を用い、電線２０１をピン碍子１０１の頸部１０７に固定した状態を示す斜視図である。
【図８】本発明の第１実施形態の碍子バインド１を用い、電線２０１をピン碍子１０１の頸部１０７に固定した状態を示す平面図である。
【図９】本発明の第１実施形態の碍子バインド１を用いて固定した電線２０１をピン碍子１０１から取外す要領を説明するための図である。
【図１０】本発明の第２実施形態の碍子バインド２の平面図である。
【図１１】ピン碍子１０１の正面図及び平面図である。
【発明を実施するための形態】
【００２６】
図１は、本発明の第１実施形態の碍子バインド１の斜視図である。図２は、碍子バインド１の平面図、図３は、側面図である。図４〜図６は、碍子バインド１を用い、電線２０１をピン碍子１０１の頸部１０７に固定する要領を説明するための図、図７及び図８は、碍子バインド１を用い、電線２０１をピン碍子１０１の頸部１０７に固定した状態を示す斜視図及び平面図である。図９は、碍子バインド１を用いて固定した電線２０１をピン碍子１０１から取外す要領を説明するための図である。
【００２７】
碍子バインド１の説明に先立ち、図１１を用いてピン碍子１０１の構造について簡単に説明する。ピン碍子１０１は、円柱状の胴部１０３の上部に肩部１０５を有し、肩部１０５に続き胴部１０３よりも直径の小さい頸部１０７を有する。さらに頸部１０７の上方には、頸部１０７の直径よりも大きい頭部１０９を有し、頭部の１０９の上面１１１には、電線を固定するための凹部１１３が設けられている。
【００２８】
胴部１０３の直径ｄ１＝２ｒ１、頸部１０７の直径ｄ２＝２ｒ２、頭部１０９の直径ｄ３＝２ｒ３を比較すると、ｄ１＞ｄ３＞ｄ２であり、頸部１０７の直径ｄ２の直径が一番小さい。ピン碍子１０１は、中心に取付ボルト１１５を備え、取付ボルト１１５を介して腕金に固定される。
【００２９】
碍子バインド１は、電線２０１をピン碍子１０１に固定するためのバインドであって、ピン碍子１０１の頸部１０７に係止する碍子係止部１１と、電線２０１に係止する電線グリップ部３１と、間接活線工具が係止する間接活線工具係止部４１とを有し、碍子係止部１１と電線グリップ部３１とは連絡部２１を介して連結されている。
【００３０】
碍子バインド１は、碍子係止部１１、連絡部２１、電線グリップ部３１及び間接活線工具係止部４１が、弾性及び高張力を有する鋼線などの金属線を樹脂等で絶縁被覆した線状体で一体的に形成されている。碍子バインド１の大きさの一例を示せば、金属線の直径が約２．５ｍｍ、外径が約４．２ｍｍである。碍子バインド１は、各部を別々に製作した後に接合してもよいが、線状体で一体的に形成することで容易にまた安価に製造することができる。
【００３１】
碍子係止部１１は、ピン碍子１０１の頸部１０７に係止する部分であり、ほぼ半円の円弧形状を有する。碍子係止部１１は、中央部１３近傍の曲率半径Ｒ２が頸部１０７の半径ｒ２と同一か僅かに大きく設定されており、碍子係止部１１の中央部１３から離された部分は、中央部１３から離れるに従って径が徐々に拡大し、両端部１５の曲率半径Ｒ３は、ピン碍子１０１の頭部１０９の半径ｒ３と同一か僅かに大きく設定されている。
【００３２】
碍子係止部１１の寸法は、碍子係止部１１がピン碍子１０１の頸部１０７に係止可能に設定されていればよいが、本実施形態のように碍子係止部１１の寸法を設定することで、碍子係止部１１をピン碍子１０１の頸部１０７にしっかりと、また確実に係止させることができる。
【００３３】
連絡部２１は、碍子係止部１１と電線グリップ部３１とを結ぶ部分であり、碍子係止部１１の両端部１５から直線状に伸びている。連絡部２１は、左右の基端部２３の間隔が頭部の直径ｄ３と同一か僅かに大きく、電線グリップ部３１に近づくに従って徐々に左右の間隔が広がっている。なお、碍子係止部１１の両端部１５と連絡部２１の基端部２３とは同じ位置である。
【００３４】
以上のように連絡部２１の左右の間隔を設定することで、碍子係止部１１を碍子バインド１の頸部１０７に係止させた状態で電線グリップ部３１を頭部１０９以上の高さに持ち上げることができる（図４参照）。これにより碍子バインド１を用いた電線２０１のピン碍子１０１への固定が容易となる。
【００３５】
碍子係止部１１をピン碍子１０１の頸部１０７に係止させた状態で電線グリップ部３１をピン碍子１０１の頭部１０９以上の高さに持ち上げるためには、連絡部２１の左右の間隔を頭部１０９の直径ｄ３以上とする必要があるが、不必要に広くすると電線２０１をピン碍子１０１に固定したときの安定性が低下する。電線２０１をピン碍子１０１に安定して固定するには、電線グリップ部３１の左右の内側の円弧状部３３の距離が、ピン碍子１０１の胴部１０３の直径ｄ１程度が好ましい。
【００３６】
また碍子係止部１１及び連絡部２１の長さＬは、電線グリップ部３１の位置が所定の位置となるように設定されている。この点については後述する。
【００３７】
電線グリップ部３１は、電線２０１に係止する部分であり、左右の連絡部２１の先端部２５にそれぞれ設けられている。電線グリップ部３１は、２つの円弧状部３３、３５と２つの円弧状部３３、３５を結び電線２０１の斜め下を支持する支持部３７とを有する。
【００３８】
円弧状部３３、３５は、同一の形状からなり、半円よりも僅かに円に近く、下方が開口し、電線２０１に対して上方から嵌め入れることができる。円弧状部３３、３５の曲率半径Ｒ４は、電線２０１の半径ｒｗと同一か僅かに大きく設定されている。
【００３９】
支持部３７は、平面視において中央部が僅かに碍子係止部１１側に湾曲しており、電線２０１に電線グリップ部３１が嵌め込まれると電線２０１の斜め下に接するように設けられている（図８のＡ−Ａ断面図参照）。支持部３７は、平面視において直線状であってもよいが上記のように湾曲させると、電線２０１に嵌め込むときに最初に中央部のみが電線２０１に接触し、その後、両端部が電線２０１に接触するので、電線２０１に無理なく嵌め込むことが可能であり、嵌め込んだ後は電線２０１をしっかりと支持することができる。
【００４０】
支持部３７の長さは、特定の長さに限定されるものではないが、極端に短いと円弧状部３３、３５が近接するので、電線２０１をピン碍子１０１に固定したときの安定性が低下する。一方、支持部３７を長くすると、電線２０１をピン碍子１０１に安定的に固定できるが、着脱時の操作性が低下する。胴部１０３の直径ｄ１が１００ｍｍφ程度のピン碍子であれば、支持部３７の長さは２０〜４０ｍｍ程度あればよい。
【００４１】
電線グリップ部３１と碍子係止部１１との間隔Ｌは、ピン碍子１０１の頸部１０３の直径ｄ２に電線２０１の半径ｒｗを加算した値と同一か僅かに大きく設定されている。ここで電線グリップ部３１と碍子係止部１１との間隔Ｌは、碍子係止部１１の中央部１３の内側壁面から電線グリップ部３１の中心線Ｍまでの距離である。
【００４２】
以上のように電線グリップ部３１の円弧状部３３、３５の曲率半径Ｒ４が、電線２０１の半径ｒｗと同一か僅かに大きく設定され、支持部３７が電線２０１の真横ではなく斜め下を支持するように設定され、さらに電線グリップ部３１が弾性を有する部材で形成されているので、電線グリップ部３１で電線２０１をしっかりと把持することができる。
【００４３】
さらに碍子バインド１は、電線グリップ部３１と碍子係止部１１との間隔Ｌが、ピン碍子１０１の頸部１０３の直径ｄ２に電線２０１の半径ｒｗを加算した値と同一か僅かに大きく設定されているので、電線２０１をピン碍子１０１の頸部１０７に当接させた状態で固定することができる。これにより電線２０１をピン碍子１０１にしっかりと固定することができる。
【００４４】
間接活線工具係止部４１は、碍子バインド１を電線２０１に取付け、電線２０１から取外す際に間接活線工具を係止する部位であり、第１リングである取付け用リング４３と第２リングである取外し用リング４５とを有する。取付け用リング４３と取外し用リング４５は、左右の電線グリップ部３１の外側の円弧状部３５に並ぶように設けられている。
【００４５】
取付け用リング４３は、環状であり、間接活線工具の１つであるバインド打ち器１５１
の先端部が入る大きさである。取付け用リング４３は、バインド打ち器１５１を係止する他、間接活線工具の１つである絶縁ヤットコ１５２で掴むこともできる。取付け用リング４３は、電線グリップ部３１の円弧状部３５に対して碍子係止部１１とは反対側に位置し、さらに高さは、円弧状部３５よりも低い位置に設けられている。
【００４６】
取外し用リング４５も環状の形状を有する。大きさは、間接活線工具の１つであるバインド打ち器１５１の先端部が入る大きさである。取外し用リング４５は、バインド打ち器１５１を係止する他、間接活線工具の１つである絶縁ヤットコ１５２で掴むこともできる。取外し用リング４５は、電線グリップ部３１の円弧状部３５に対して碍子係止部１１側に位置し、さらに高さは、円弧状部３５よりも高い位置に設けられている。
【００４７】
取付け用リング４３は、碍子バインド１を電線２０１に取付ける際に使用されるが、取付け用リング４３を反碍子係止部１１側で電線グリップ部３１よりも低い位置に設けることで、間接活線工具により電線グリップ部３１を下方に引き下げ易く、電線グリップ部３１を電線２０１に簡単に嵌め込むことができる。一方、碍子バンイド１を電線２０１から取外す際に使用する取外し用リング４５を、電線グリップ部３１に対して碍子係止部１１側で電線グリップ部３１よりも高い位置に設けることで、間接活線工具により電線グリップ部３１を上方に引き上げ易く、電線グリップ部３１を電線２０１から簡単に取外すことができる。
【００４８】
次に碍子バインド１を用いて、間接活線工法により電線２０１をピン碍子１０１の頸部１０７に固定する要領を説明する。
【００４９】
電線２０１を間接活線工具の１つであるトング（図示省略）で把持し、腕金（図示省略）に固定されたピン碍子１０１の頸部１０７に当接させる。頸部１０７に電線２０１が当接している状態で、碍子バインド１の取外し用リング４５を絶縁ヤットコ１５２で把持し、ピン碍子１０１の上方から碍子バインド１を碍子係止部１１を斜め下にした状態でアプローチし、碍子係止部１１をピン碍子１０１の頸部１０７に引掛ける（図４参照）。
【００５０】
掴んでいる取外し用リング４５を下方に下げ（図５参照）、電線グリップ部３１を電線２０１に当てる。その後、絶縁ヤットコ１５２をバインド打ち器１５１に代え、バインド打ち器１５１の先端部を取付け用リング４３に差込み、電線グリップ部３１を下方に引張り、電線グリップ部３１を電線２０１に嵌め込む。一方の電線グリップ部３１を嵌め込んだ後、他方の電線グリップ部３１を嵌め込む（図６参照）。以上の操作で電線２０１をピン碍子１０１の頸部１０７に固定することができる（図７、図８参照）。
【００５１】
ピン碍子１０１に固定された電線２０１を取外す際には、碍子バインド１の近くの電線２０１をトング（図示省略）で把持し、取外し用リング４５にバインド打ち器１５１の先端部を差込み、電線グリップ部３１を上方に引き上げればよい（図９参照）。
【００５２】
上記のように本碍子バインド１は、螺旋状の電線固定部を電線に巻き付ける巻付バインドと異なり、電線グリップ部３１を電線２０１に対して上方から嵌め込むことで電線２０１に固定することができるので間接活線工具を用いて電線２０１をピン碍子１０１に簡単に固定し、取り外すことができる。
【００５３】
図１０は、本発明の第２実施形態の碍子バインド２の平面図である。図１から図３に示す本発明の第１実施形態の碍子バインド１と同一の構成には同一の符号を付して説明を省略する。
【００５４】
碍子バインド２は、碍子バインド１と基本的構成を同じくするが連絡部２２の形状、電線グリップ部３２及び間接活線工具係止部４２の構成が異なる。
【００５５】
連絡部２２は、連絡部２１と同様に、碍子係止部１１の両端部１５と電線グリップ部３２とを連絡するが、連絡部２２は、左右の間隔が基端部２３から先端部２５まで同一であり、その間隔はピン碍子１０１の頭部１０９の直径ｄ３よりも僅かに大きい。
【００５６】
電線グリップ部３２は、電線グリップ部３１と同様に２つの円弧状部３３、３５と支持部３７とを備える他、さらに支持部３８が追加されている。２つの円弧状部３３、３５及び支持部３７の構造等は、第１実施形態の碍子バインド１のものと変わるところはない。
【００５７】
支持部３８は、外側に位置する円弧状部３５から内側の円弧状部３３に向って折り返し形成されており、支持部３８は、円弧状部３３、３５を挟んで支持部３７の反対側に位置する。支持部３８は、終端が内側の円弧状部３３の始点と一致している。支持部３８の基端（始点）は、終端と同じ高さに位置しており、支持部３８は、支持部３７と同様に電線２０１の斜め下を支持する。
【００５８】
支持部３８は、平面視において中央部が僅かに反碍子係止部１１側に湾曲しており、電線２０１に電線グリップ部３２が嵌め込まれると電線２０１の斜め下に接するように設けられている。支持部３８は、支持部３７と同じ考え方に基づくものであり、碍子バインド２を電線２０１に嵌め込むと、２つの支持部３７、３８が電線２０１を前後から挟み込むので、より確実に電線２０１を固定することができる。
【００５９】
間接活線工具係止部４２は、間接活線工具係止部４１と同じ要領で取付け用リング４３が設けられているが、取外しリング４５が省略されており、取付け用リング４３を取付けの際及び取外しの際の両方に使用する。なお、碍子バインド２においても碍子バインド１と同様に、取付け用リング４３及び取外し用リング４５の両方を設けてもよい。この場合、支持部３８の末端に取付け用リング４５を設けても、取付け用リング４５の末端に支持部３８を設けてもよい。
【００６０】
第１及び第２実施形態により本発明の碍子バインドを説明したが、本発明の碍子バインドは、本実施形態に限定されるものではなく、要旨を変更しない範囲で変更して使用することができる。またピン碍子も第１及び第２実施形態に示したピン碍子に限定されるものではない。
【符号の説明】
【００６１】
１、２      碍子バインド
１１        碍子係止部
１３        中央部
１５        両端部
２１、２２  連絡部
２３        基端部
２５        先端部
３１、３２  電線グリップ部
３３、３５  円弧状部
３７、３８  支持部
４１        間接活線工具係止部
４３        取付け用リング
４５        取外し用リング
１０１      ピン碍子
１０３      胴部
１０５      肩部
１０７      頸部
１０９      頭部
１５１      バインド打ち器
１５２      絶縁ヤットコ
２０１      電線
Ｌ          電線グリップ部と碍子係止部との間隔
Ｒ２          碍子係止部の中央部の曲率半径
Ｒ３          碍子係止部の両端部の曲率半径
Ｒ４          電線グリップ部の円弧状部の曲率半径
ｄ１＝２ｒ１  ピン碍子の胴部直径
ｄ２＝２ｒ２  ピン碍子の頸部直径
ｄ３＝２ｒ３  ピン碍子の頭部直径
ｒｗ          電線の半径
【図１】
0005941114.tif 000002
【図２】
0005941114.tif 000003
【図３】
0005941114.tif 000004
【図４】
0005941114.tif 000005
【図５】
0005941114.tif 000006
【図６】
0005941114.tif 000007
【図７】
0005941114.tif 000008
【図８】
0005941114.tif 000009
【図９】
0005941114.tif 000010
【図１０】
0005941114.tif 000011
【図１１】
0005941114.tif 000012